(57)【要約】【課題】  携帯電話機の通信契約がなされていない場合に、カメラ機能の制限を効率よく行う。【解決手段】  契約情報格納部３ａに格納された契約情報によって、携帯電話機１の通信契約がなされているかを判断する。そして、通信契約がなされていないと判断した場合、記憶部３より予め用意した付加画像と、カメラ入力画像とを読み出し合成する。そして、操作部５によって撮影操作がなされると、合成画像をバッファに一時保存し、更に操作部によって記録操作がなされると、合成画像を圧縮し、記憶部３に記憶する。【選択図】  図２
2006237827.tif 000002
【特許請求の範囲】
【請求項１】
無線通信を行う通信手段と、
前記通信手段によって無線通信を行うために必要な通信契約がなされているかを判断する通信契約有無判断手段と、
画像を取得する画像入力手段と、
前記画像入力手段によって取得した画像を表示する表示手段と、
所定の画像及び前記画像入力手段によって取得した画像を蓄積する記憶手段とを有し、  前記通信契約有無判断手段において通信契約がないと判断された場合、前記記憶手段に記憶された所定の画像を読み出し、
前記画像入力手段より取得した画像を合成して前記表示手段へ表示する表示制御手段とを有することを特徴とする端末装置。
【請求項２】
前記画像入力手段より取得した画像と、前記所定の画像とを合成して前記表示手段へ表示した後、
更に、前記操作手段によって前記記憶手段に記憶するための操作がなされた場合、前記合成した画像を前記記憶手段に記憶すること
を特徴とする請求項１に記載の端末装置。
【請求項３】
無線通信を行う通信手段と、
前記通信手段によって無線通信を行うために必要な通信契約がなされているかを判断する通信契約有無判断手段と、
画像を取得する画像入力手段と、
前記画像入力手段によって取得した画像を表示する表示手段と、
前記画像入力手段によって取得した画像を蓄積する記憶手段と、
前記画像入力手段によって取得した画像を前記記憶手段に記憶するための操作を行う操作手段とを有し、
前記通信契約有無判断手段において通信契約がないと判断された場合、前記操作手段によって前記記憶手段に記憶するための操作がなされた場合、前記記憶手段に記憶された所定の画像を読み出し、前記画像入力手段より取得した画像を合成して前記記憶手段に記録する記録制御手段と
を有することを特徴とする端末装置。
【請求項４】
前記通信契約有無判断手段における、無線通信を行うために必要な通信契約がなされているかの判断は、通信圏外になった時刻から予め定めた期間を過ぎたか否かによって判断することを特徴とする請求項１乃至請求項４のいずれか１項に記載の端末装置。
【請求項５】
前記通信契約有無判断手段における、無線通信を行うために必要な通信契約がなされているかの判断は、位置登録成功した時刻から予め定めた期間を過ぎたかに基づき判断することを特徴とする請求項１乃至請求項４のいずれか１項に記載の端末装置。
【発明の詳細な説明】
【技術分野】
【０００１】
本発明は、端末装置に関する。
【背景技術】
【０００２】
近年、携帯型の情報機器の進歩および普及にはめざましいものがある。特に、携帯電話機においては、一般通話機能のほかに、インターネットを通じたＷｅｂアクセス、電子メールなどを行う機能が搭載されており、それぞれのサービスについて、携帯電話機の利用者に使いやすいものとなるように様々な開発・改良がなされている。
【０００３】
そして最近では、一般通話機能や電子メール機能に加え、カメラ機能やゲーム機能などといった通信以外の機能を搭載した端末が主流となっている。それらの通信以外の機能も、高機能化が進んでおり、例えばカメラ機能においてはデジタルカメラにひけをとらない程に、高機能になっているし、ゲーム機能についても、携帯式テレビゲーム機とほとんど変わらない程の機能を搭載したものになっている。
【０００４】
しかし、携帯電話機が高機能化すると同時に、新たな社会問題も生じている。例えば、通信契約をしていなくとも使用できる通信機能以外の機能（カメラ機能・動画撮影機能・オーディオ機能等）を使用する目的で、新規に電話会社と通信契約して格安で携帯電話機を購入し、その後すぐ契約を解約することによって通信機能以外の機能が格安で使用可能になってしまうという問題がある。そして、特許文献１にはその問題を解決する１つの手段として、電話会社から付与された電話番号の情報などが登録されていない場合には、オーディオ機能を制限する機能が開示されている。
【特許文献１】特開２００１−３１３６９５号公報（４頁乃至１０頁）
【発明の開示】
【発明が解決しようとする課題】
【０００５】
上記特許文献１に記載された携帯電話機においては、カメラ機能の制限については具体的に記載されていない。また、上記特許文献１は機能制限の方法の１つを例示したものである。
【０００６】
そこで、本発明は上記問題点を解決したものであって、携帯電話機等の端末装置において、無線通信を行うための通信契約が解約された場合において、端末装置に搭載されたカメラ機能等の画像入力機能を効果的に制限したり、ＴＶ機能・ゲーム機能を制限したりすることができる端末装置を提供することを目的とする。
【課題を解決するための手段】
【０００７】
本発明の端末装置は、無線通信を行う通信手段と、前記通信手段によって無線通信を行うために必要な通信契約がなされているかを判断する通信契約有無判断手段と、画像を取得する画像入力手段と、前記画像入力手段によって取得した画像を表示する表示手段と、所定の画像及び前記画像入力手段によって取得した画像を蓄積する記憶手段とを有し、前記通信契約有無判断手段において通信契約がないと判断された場合、前記記憶手段に記憶された所定の画像を読み出し、前記画像入力手段より取得した画像を合成して前記表示手段へ表示する表示制御手段とを有することを特徴とする。
【発明の効果】
【０００８】
本発明によれば、端末装置の無線通信を行うための通信契約が解約された場合において、当該端末装置に搭載された画像入力機能を効果的に制限したり、ＴＶ機能やゲーム機能を制限したりすることができる端末装置を提供することができる。
【発明を実施するための最良の形態】
【０００９】
以下に、本発明の実施の形態を説明する。
【実施例１】
【００１０】
本発明の端末装置を携帯情報端末において実施した第１の実施の形態を図面を用いて説明する。図１は、本発明を携帯電話機において実施した場合におけるブロック図を示している。携帯電話機１の内部には、携帯電話機１全体の制御を行う制御部２と、ＲＡＭ・ＲＯＭなどで構成される記憶部３と、ＬＣＤなどで構成される表示部４と、キーボードなどで構成される操作部５と、アンテナ７を用いて無線通信制御を行う通信部６と、カメラ８とを備えており、制御部２によって全体が制御されている。
【００１１】
記憶部３は、制御部２が実行するプログラム、各種の情報データなどが保存されている。また、記憶部３の一部領域には契約情報格納部３ａが存在する。契約情報格納部３ａは、電話会社との通信機能契約に基づく、電話番号などの契約情報を記憶しておく機能を有する。なお、携帯電話機１が、電話番号データが格納されたＳＩＭ（Subscriber Identify Module）カードやＵＳＩＭ（Universal Subscriber Identify Module）カードを挿入して使用する携帯電話機である場合は、契約情報格納部３ａは記憶部３に設けず、ＳＩＭカード・ＵＳＩＭカードを挿入すると、それらのカードの内部には契約情報格納部３ａと同様のデータを設け、契約情報格納部３ａのかわりとして機能するようにしてもよい。
【００１２】
表示部４は、ＬＣＤの表示装置であり、制御部２の一つであるＬＣＤコントローラ（以下、ＬＣＤＣと記す）２ａから出力制御される表示データが表示される。ＬＣＤＣ２ａによる出力制御は主に制御部２からの命令によって行われる。
【００１３】
操作部５は、数字キーや文字キー、メール編集の決定・中止などのファンクションキー
を含む複数のキーからなり、利用者が入力操作したキー入力に応じて、キーを識別する識別信号を制御部２へ通知し、制御部２がその動作を開始する。なお、例えば数字キー「１」に文字「あ」、「い」、「う」、「え」、「お」、「＠」を割り当てるといったように、同じキーに複数の数字・文字・記号を割り当てたものであっても良い。
【００１４】
通信部６は、制御部２によって命令された情報を、無線通信によって送信したり、メールサーバより無線通信によって送られた情報を受信したりする機能を有する。また、電話機能による通話の際も、通信部６を通じて通話が行われる。
【００１５】
カメラ８は、例えばＣＣＤカメラであり、操作部５から表示部４を用いた画像入力指示に応答して制御部２により起動され、画像入力を行う。そして、入力された画像は制御部２及びＬＣＤＣ２ａの制御によって表示部４に表示される。また、カメラ８によって入力されている画像を表示部４に表示している状態で、操作部５によってシャッタ操作（以下、撮影操作と記す）がなされると、制御部２はカメラ８からの画像を読み込み、記憶部３に記憶することが出来る。
【００１６】
次に、カメラ８を起動させて、静止画を撮影する場合における携帯電話機１の動作を説明する。なお、ここでは静止画を例に挙げて説明するが、これに限定されることなく、動画を撮影する場合にも適用可能である。
【００１７】
図２は、本発明の携帯電話機１において、静止画を撮影する場合におけるフローチャートを示したものである。まず、操作部５によってカメラ８起動の操作がなされると、制御部２は操作部５からの指示を受け、カメラ８を起動する（ステップ１０１）。次に、記憶部３の一部である契約情報格納部３ａに格納された通信契約情報を見て、通信契約の有無を判断する（ステップ１０２）。通信契約の有無の判断は、例えば契約情報格納部３ａに電話番号が登録されているか否かで判断する。また、例えばＳＩＭカード・ＵＳＩＭカードを挿入して使用する携帯電話機においては、ＳＩＭカード・ＵＳＩＭカードが挿入されているか否かで判断することも可能である。
【００１８】
また、通信契約の有無の判断は、図３のようなフローチャートによって立てられたフラグの有無によって判断してもよい。つまり、フラグが立っているならば通信契約なしと判断し、フラグが立っていなければ通信契約有りと判断する。この図３のフローチャートの説明は後述する。なお、このステップ１０２における通信契約の有無の判断はカメラ起動前に常に行っても良いし、カメラ起動時に初めて通信契約の有無の判断を開始しても良い。
【００１９】
次に、ステップ１０２において、通信契約が有ると判断された場合（ステップ１０２の「有り」方向）、通常のカメラ動作を行う（ステップ１０３ａ）。一方、通信契約がないと判断された場合（ステップ１０２の「なし」方向）、記憶部３に予め格納されている付加画像を読み出す（ステップ１０３ｂ）。なお、ここでいう付加画像は、例えば画像全体に渡って「通信契約がされておりません」という文字列や、会社の宣伝文句等などを含み、撮影した画像を遮るようなサイズで表示されるものが望ましい。その後、付加画像を記憶部３から読み出すとともに、カメラ８によって画像を入力する（ステップ１０４）。
【００２０】
次に、ステップ１０４においてカメラ８から入力された画像と記憶部３より読み出した画像とを合成し（以下、合成画像と記す）、その合成画像をＬＣＤＣ２ａへ表示させるように命令する（ステップ１０５）。次に、操作部５において撮影操作がなされたかを判断する（ステップ１０６）。ステップ１０６において、撮影操作がなされなかった場合は（ステップ１０６の「ＮＯ」方向）ステップ１０４へ戻り、戻って再度カメラ８の画像の入力・付加画像の呼出を行う。また、ステップ１０６において、撮影操作がなされた場合は（ステップ１０６の「ＹＥＳ」方向）、ステップ１０５において合成された合成画像を記憶部３のバッファへ記録する（ステップ１０７）。そして、バッファに記録された画像を表示部４に表示させるようにＬＣＤＣ２ａへ命令する。そして表示部４には合成画像が表示される。
【００２１】
次に、ステップ１０６において撮影した合成画像を記憶部３に保存するか否かをユーザに対して操作させる（ステップ１０８）。そして、操作部５によって撮影した合成画像を保存しない旨の信号を制御部２が受信した場合（ステップ１０８の「ＮＯ」方向）、ステップ１０４に戻って再度カメラ８の入力・付加画像の呼出を行う。また、ステップ１０８において、操作部５によって撮影した合成画像を保存する旨の信号を制御部２が受信した場合（ステップ１０８の「ＹＥＳ」方向）、合成画像を圧縮して、記憶部３に記録する（ステップ１０９）。
【００２２】
（通信契約の有無の判断）
図３は、通信契約の有無を判断する際に必要なフラグをどのような場合にたてるかを示したフローチャートである。まず、携帯電話機１が通信圏外であるか否かを判断する（ステップ２０１）。なお、通信圏外とは、携帯電話機１が通信できる状態ではない場合を指し、無線信号が届かない場合、携帯電話機が位置登録を失敗した場合、及び通信契約がなされていないために無線通信（通話など）が出来ない場合も含む。
【００２３】
ステップ２０１において、携帯電話機１が通信圏外ではない場合、つまり通話可能である場合は、再度ステップ２０１を繰り返す（ステップ２０１の「ＮＯ」方向）。また、携帯電話機１が通信圏外であると判断した場合、圏外になったと判断された時刻を記録部３へ記録する（ステップ２０１の「Ｙｅｓ」方向、ステップ２０２）。なお、記憶部３への圏外になったと判断された時刻の記録は、その都度異なる箇所に記憶する方法でも、前に圏外になった時刻の記録があればそこへ上書きする方法でもよい。
【００２４】
次に、通信圏内に入ったか否かを判断する（ステップ２０３）。そして、ステップ２０３において通信圏内に入ったと判断した場合は（ステップ２０３の「Ｙｅｓ」方向）、通信契約なしのフラグがたっていた場合には、通信契約なしのフラグを落とす（ステップ２０４ａ）。その後始めから再度繰り返す。また、ステップ２０３において通信圏内ではない（通信圏外である）と判断した場合（ステップ２０３の「ＮＯ」方向）、ステップ２０２において記憶部３に記録した、通信圏外になった時刻から予め定めた期間を過ぎているか否かを判断する（ステップ２０４ｂ）。ここで、予め定めた期間を過ぎていなかった場合は（ステップ２０４の「ＮＯ」方向）、ステップ２０３から再度繰り返す。また、予め定めた期間を過ぎていた場合には（ステップ２０４ｂの「ＹＥＳ」方向）、通信契約がないことを示すフラグを立てる（ステップ２０５）。その後、ステップ２０３へ戻り、再度圏内に戻ったか否かを判断する。なお、携帯電話機１が、電話機能を使わないモード（電波を発しないモード）に設定されている場合には、ステップ２０４ｂにおける予め定めた期間は通常より長く自動的に設定することもできる。また、ステップ２０４ｂにおいて、予め定めた期間が経過する前に表示部４へ「あと〜分で機能制限を行います」等の表示を行っても良い。
【００２５】
以上によって通信契約なしのフラグが立った場合は、カメラ起動時に表示部４に「機能制限中です。解除するためには、通信を一度行ってください」旨の表示をして、使用者に機能解除を促す表示をしても良い。
【００２６】
これ以外にも、下記の方法によって、通信契約の有無を判断しても良い。まず、携帯電話機１の契約情報格納部３ａに電話番号が登録されていない、またはＳＩＭカードに契約情報が存在していない場合には、契約がないものと判断する。次に、携帯電話使用料未払い等によって強制解約された場合にも対応するため、携帯電話機１の契約情報格納部３ａに電話番号が登録されていたとしても、携帯電話が通信可能エリアに存在する状態で、ネットワーク側で該当端末が未契約と判断された場合、もしくは故障等によって通信を所定回数以上失敗した場合においても、ここでは通信契約がないものと判断しても良い。
【００２７】
なお、本実施例１においては、カメラ機能の制限として予め用意した画像を付加することによって制限したが（ステップ１０３ｂ）、このステップ１０３ｂによって機能を制限することに限定されることなく、カメラの機能自体を制限（例えばカメラ８の有効画素数が１００万画素であるならば使用可能画素を１０万画素へ制限する、オートフォーカス機能を使用できないようにする、解像度の限界を設ける、圧縮率の制限を設ける、使用可能な色数を減らすなど、さまざまな制限方法が考えられる。
【００２８】
本発明の実施例１の携帯電話機によれば、携帯電話機の通信契約がない場合において、カメラ入力した画像に、予め用意した画像を付加することができるため、ユーザの意図したカメラ機能を実現することが出来ないため、カメラ機能を効果的に制限できる。
【実施例２】
【００２９】
本発明の端末装置を携帯情報端末において実施した第２の実施の形態を図面を用いて説明する。なお、第２の実施の形態の携帯電話機は、第１の実施の形態で説明した携帯電話機１と同じ構成であって、その説明を省略する。第２の実施の形態においては、カメラ８を起動させて、静止画を撮影する場合における携帯電話機１の動作が第１の実施の形態と異なる。図４は本発明の第２の実施の形態において、静止画を撮影する場合の携帯電話機１の動作を示したフローチャートである。
【００３０】
まず、操作部５によってカメラ８起動の操作がなされると、制御部２は操作部５からの指示を受け、カメラ８を起動する（ステップ３０１）。次に、記憶部３の一部である契約情報格納部３ａに格納された契約情報によって、通信契約の有無を判断する（ステップ３０２）。なお、ステップ３０２においては第１の実施の形態のステップ１０２と同様の判断方法を用いる。なお、このステップ３０２における通信契約の有無の判断はカメラ起動前に常に行っても良いし、カメラ起動時に初めて通信契約の有無の判断を開始しても良い。
【００３１】
次に、ステップ３０２において、通信契約が有ると判断された場合（ステップ３０２の「有り」方向）、通常のカメラ動作を行う（ステップ３０３ａ）。一方、通信契約がないと判断された場合（ステップ３０２の「なし」方向）、カメラ８によって撮影した画像を入力する（ステップ３０３ｂ）。そして、入力した画像を表示部４へ表示させるようにＬＣＤＣ２ａへ命令する（ステップ３０４）。
【００３２】
次に、操作部５において撮影操作がなされたかを判断する（ステップ３０５）。ステップ３０５において、撮影操作がなされなかった場合は（ステップ３０５の「ＮＯ」方向）ステップ３０３ｂへ戻り、戻って再度カメラ８の画像の入力を行う。また、ステップ３０５において、撮影操作がなされた場合は（ステップ３０５の「ＹＥＳ」方向）、ステップ３０４において表示された画像を記憶部３のバッファへ記録する（ステップ３０６）。そして、バッファに記録された画像を表示部４に表示させるようにＬＣＤＣ２ａへ命令する。そして表示部４には撮影された画像が表示される。
【００３３】
次に、ステップ３０５において撮影した画像を保存するか否かをユーザに対して操作させる（ステップ３０７）。そして、操作部５によって撮影した画像を保存しない旨の信号を制御部２が受信した場合（ステップ３０７の「ＮＯ」方向）、ステップ３０３ｂに戻って再度カメラ８の入力画像の呼出を行う。また、ステップ３０７において、操作部５によって撮影した画像を保存する旨の信号を制御部２が受信した場合（ステップ３０７の「ＹＥＳ」方向）、記憶部３より予め用意した付加画像を読み出して、バッファに蓄積した撮影画像と合成する（ステップ３０８）。ここでいう予め用意した付加画像とは、実施例１のステップ１０３ｂにおいて説明したものと同様のものである。その後、ステップ３０８において合成した合成画像を圧縮して、記憶部３に記録する（ステップ３０９）。
【００３４】
本発明の実施例２の携帯電話機によれば、携帯電話機の通信契約がない場合において、カメラ入力した画像に、予め用意した画像を付加することができるため、ユーザの意図したカメラ機能を実現することが出来ないため、カメラ機能を効果的に制限できる。
【実施例３】
【００３５】
本発明の端末装置を携帯情報端末において実施した第３の実施の形態を図面を用いて説明する。なお、第３の実施の形態の携帯電話機は、第１の実施の形態で説明した携帯電話機１と同じ構成であって、その説明を省略する。第３の実施の形態においては、ＴＶ機能またはゲーム機能を起動させた場合における携帯電話機１の動作が第１の実施の形態と異なる。図５は本発明の第３の実施の形態において、ＴＶ機能またはゲーム機能を起動させた場合の携帯電話機１の動作を示したフローチャートである。
【００３６】
まず、操作部５によってＴＶ機能の起動またはゲーム機能の起動の操作がなされると、制御部２は操作部５からの指示を受け、ＴＶ機能の場合は図示しない周知のＴＶ機能、またはゲーム機能の場合は、周知のゲーム機能を起動する（ステップ４０１）。次に、記憶部３の一部である契約情報格納部３ａに格納された契約情報によって、通信契約の有無を判断する（ステップ４０２）。なお、ステップ４０２においては第１の実施の形態のステップ１０２と同様の判断方法を用いる。なお、このステップ４０２における通信契約の有無の判断はＴＶ機能起動またはゲーム機能起動前に常に行っても良いし、ＴＶ機能起動またはゲーム機能起動時に初めて通信契約の有無の判断を開始しても良い。
【００３７】
次に、ステップ４０２において、通信契約が有ると判断された場合（ステップ４０２の「有り」方向）、通常のＴＶ機能またはゲーム機能の動作を行う（ステップ４０３ａ）。
【００３８】
一方、ステップ４０２において、通信契約がないと判断された場合（ステップ４０２の「なし」方向）、記憶部３に予め格納されている付加画像を読み出す（ステップ４０３ｂ）。なお、ここでいう付加画像は、例えば画像全体に渡って「通信契約がされておりません」という文字列や、会社の宣伝文句等などを含み、撮影した画像を遮るようなサイズで表示されるものが望ましい。その後、付加画像を記憶部３から読み出すとともに、通常のＴＶ機能の表示またはゲーム機能による表示のための画像が入力される（ステップ４０４）。
【００３９】
次に、ステップ４０３ｂ及びステップ４０４において読み出されたＴＶ機能の表示またはゲーム機能の表示、及び記憶部３より読み出した画像が表示部４に表示される（ステップ４０５）。
【００４０】
本発明の実施例３の携帯電話機によれば、携帯電話機の通信契約がない場合において、ＴＶ機能またはゲーム機能が起動した場合に、予め用意した画像を付加することができるため、ユーザの意図したＴＶ機能またはゲーム機能を実現することが出来ないため、ＴＶ機能またはゲーム機能を効果的に制限できる。
【図面の簡単な説明】
【００４１】
【図１】本発明の実施例１の携帯電話機１の内部構成ブロック図。
【図２】本発明の実施例１の携帯電話機１で、カメラ撮影を行う際のフローチャート。
【図３】本発明の実施例１の携帯電話機１でカメラ撮影を行う際に、通信契約の有無を判断する一例を示したフローチャート。
【図４】本発明の実施例２の携帯電話機１で、カメラ撮影を行う際のフローチャート。
【図５】本発明の実施例３の携帯電話機１で、ＴＶ機能またはゲーム機能を制限する際のフローチャート。
【符号の説明】
【００４２】
１  携帯電話機
２  制御部
２ａ  ＬＣＤＣ
３  記憶部
３ａ  契約情報格納部
４  表示部
５  操作部
６  通信部
７  アンテナ
８  カメラ
【図１】
2006237827.tif 000003
【図２】
2006237827.tif 000004
【図３】
2006237827.tif 000005
【図４】
2006237827.tif 000006
【図５】
2006237827.tif 000007